(57)【要約】【課題】内部スペースを有効に活用することで、照明装置を大型化することなく点灯装置のスペースを十分に確保する。【解決手段】複数個のＬＥＤ１とＬＥＤ１を点灯制御する点灯装置２とを具備し、ＬＥＤ１は点灯装置２と略同一平面内であって点灯装置２の周囲に配置されている照明装置において、相隣接するＬＥＤ１の間には点灯装置２の一部が入り込んで設けられていることを特徴としている。更に、点灯装置２は一体となった回路基板として形成され、この回路基板の一部が相隣接するＬＥＤ１の間に入りこんで設けられていることを特徴としている。【選択図】図１
2007122901.tif 000002
【特許請求の範囲】
【請求項１】
複数個のＬＥＤとＬＥＤを点灯制御する点灯装置とを具備し、ＬＥＤは点灯装置と略同一平面内であって点灯装置の周囲に配置されている照明装置において、相隣接するＬＥＤの間には点灯装置の一部が入り込んで設けられていることを特徴とする照明装置。
【請求項２】
点灯装置は一体となった回路基板として形成され、この回路基板の一部が相隣接するＬＥＤの間に入りこんで設けられていることを特徴とする請求項１記載の照明装置。
【発明の詳細な説明】
【技術分野】
【０００１】
本願発明は、主に天井面などに取り付けられる屋内照明に用いられるものであって、ＬＥＤを光源として用いた照明装置に関するものである。
【背景技術】
【０００２】
従来から、特開２００３−８６００６号公報（特許文献１）に示されるように、主に天井面などに取り付けられる屋内照明で、ＬＥＤを光源として用いた照明装置は知られている。この照明装置は、図８に示すように、複数個のＬＥＤ１とＬＥＤ１を点灯制御する点灯装置２とを具備し、ＬＥＤ１は点灯装置２と略同一平面内であって点灯装置２の周囲に配置されている。
【０００３】
したがって、この照明装置は、ＬＥＤ１と点灯装置２とが略同一平面内にあるため薄型化され、この照明装置を天井面に取り付ける場合、下向きに突出する寸法が小さくなくなり、天井部の美観を損なうことなく取り付けられるものである。
【特許文献１】特開２００３−８６００６号公報
【発明の開示】
【発明が解決しようとする課題】
【０００４】
一方、屋内照明として十分な輝度の照明を得るためには、ＬＥＤに比較的大きな電流を流す必要があるため、点灯装置に用いられる回路は複雑化しており、点灯装置は大型化する傾向にある。
【０００５】
しかしながら、上記従来例の照明装置においては、点灯装置２を単純に大きくすると、照明装置外郭で囲まれた内部スペース３を大型化させる必要がある。
【０００６】
ところで、上記従来例の照明装置においては、限られた数のＬＥＤ１で広範囲を照明するため、相隣接するＬＥＤ１の間には一定の間隔が確保されている。すなわち、この相隣接するＬＥＤ１の間の間隔がデットスペースとして残されている。
【０００７】
本願発明は、上記背景技術に鑑みて発明されたものであり、その課題は、内部スペースを有効に活用することで、照明装置を大型化することなく点灯装置のスペースを十分に確保することである。
【課題を解決するための手段】
【０００８】
上記課題を解決するために、本願請求項１記載の発明では、複数個のＬＥＤとＬＥＤを点灯制御する点灯装置とを具備し、ＬＥＤは点灯装置と略同一平面内であって点灯装置の周囲に配置されている照明装置において、相隣接するＬＥＤの間には点灯装置の一部が入り込んで設けられていることを特徴としている。
【０００９】
又、本願請求項２記載の発明では、上記請求項１記載の照明装置において、点灯装置は一体となった回路基板として形成され、この回路基板の一部が相隣接するＬＥＤの間に入りこんで設けられていることを特徴としている。
【発明の効果】
【００１０】
本願請求項１記載の発明の照明装置においては、ＬＥＤと点灯装置とが略同一平面内にあるため、照明装置を薄型化することができる。更に、点灯装置の一部が相隣接するＬＥＤの間に入り込んで設けられているため、内部スペースを有効に活用することができ、照明装置を大型化することなく点灯装置のスペースを十分に確保することができる。
【００１１】
又、本願請求項２記載の発明の照明装置においては、点灯装置は一体となった回路基板として形成されるため、内部スペースに容易に組み込むことができる。
【発明を実施するための最良の形態】
【００１２】
図１、２は、本願請求項１、２全てに対応した第一の実施形態である照明装置を示している。この照明装置は、複数個のＬＥＤ１とＬＥＤ１を点灯制御する点灯装置２とを具備し、ＬＥＤ１は点灯装置２と略同一平面内であって点灯装置２の周囲に配置されている。そして、この照明装置において、相隣接するＬＥＤ１の間には点灯装置２の一部が入り込んで設けられている。更に、点灯装置２は一体となった回路基板として形成されており、この回路基板の一部が相隣接するＬＥＤ１の間に入り込んで設けられている。
【００１３】
以下、この実施形態の照明装置を、より具体的詳細に説明する。図１、２に示すように、円盤状のベース板４の表面側が内部スペース３となっており、この内部スペース３にＬＥＤ１と点灯装置２が配置されている。なお、ベース板４の外周部にはネジ部５が設けられており、このネジ部５にカバー６が螺合して取り付けられている。
【００１４】
ＬＥＤ１は大電流に対応したＬＥＤチップが一つあるいは複数搭載されて成っている。又、点灯装置２はＬＥＤ１を点灯させるための一体となった回路基板を一つのケースに収納したものである。この回路基板は大電流に対応したものであり、例えば、交流電流を直流電流に変換する整流回路、保護用素子としてのコンデンサや抵抗などが含まれている。
【００１５】
点灯装置２は内部スペース３の中央に主体となる部分があり、その周りに内部スペース３の外郭に沿って等間隔にＬＥＤ１が四つ配置されている。四つのＬＥＤ１は限られた数で広範囲を照明するため、一定の間隔を保って配置されている。したがって、内部スペース３には相隣接するＬＥＤ１の間のスペースが四つでき、この四つのスペースにそれぞれ点灯装置２の一部が角型として、点灯装置２の主体となる部分から延長して入り込んでいる。点灯装置２全体としては直方体の四隅に直角の凹部７が設けられた十字型であり、この四隅の凹部７にＬＥＤ１が点灯装置２と接するように略同一平面内に配置されている。
【００１６】
したがって、この実施形態の照明装置においては、ＬＥＤ１と点灯装置２とが略同一平面内にあるため、照明装置を薄型化することができ、この照明装置を天井面や壁面に取り付ける場合、表面から突出する寸法が小さくなり、天井部および壁面の美観を損なうことなく取り付けることができる。
【００１７】
又、点灯装置２の一部が相隣接するＬＥＤ１の間に入り込んで設けられているため、内部スペース３を有効に活用することができ、大電流に対応して複雑化した点灯装置２を用いる場合であっても、照明装置を大型化することなく点灯装置２のスペースを十分に確保することができる。
【００１８】
又、点灯装置２は一体となった回路基板として形成されるため、複数の回路基板を用いる場合に比べて作業工程が簡略化され、更に、点灯装置２は一つのケースに集約されているため、内部スペース３に容易に組み込むことができる。
【００１９】
又、ＬＥＤ１は大電流に対応したＬＥＤチップを用いており、点灯装置２も大電流に対応しているため、比較的大きな電流を流すことができ、照明としての十分な輝度が得られる。
【００２０】
なお、点灯装置２の一部が、点灯装置２の主体となる部分から分離してＬＥＤ１の間に入り込んでいてもよいが、この場合、複数の回路基板と複数のケースを用いることとなり、請求項２の効果は奏さない。
【００２１】
図３は、本願請求項１、２全てに対応した第二の実施形態である照明装置を示している。なお、ここでは、上記第一の実施形態と相違する事項についてのみ説明し、その他の事項（構成、作用効果等）については、上記第一の実施形態と同様であるのでその説明を省略する。この照明装置は、点灯装置２の中ほどに円柱状に切抜かれた部分があり、そこに上記ＬＥＤ１とは別にＬＥＤ１が配置されている。
【００２２】
したがって、内部スペース３の外周だけでなく、内部にもＬＥＤ１を配置することで、より照度の高い照明を得られるものである。
【００２３】
図４は、本願請求項１、２全てに対応した第三の実施形態である照明装置を示している。なお、ここでは、上記第一の実施形態と相違する事項についてのみ説明し、その他の事項（構成、作用効果等）については、上記第一の実施形態と同様であるのでその説明を省略する。この照明装置は、内部スペース３が正方形になっており、円盤状ではなく角型のベース板４を用いている。この正方形の内部スペース３において、正方形の四つ角に点灯装置２の凹部７が対応しており、そこに一つずつＬＥＤ１が設けられている。又、カバー６はベース板４に対し嵌合して取り付けられている。
【００２４】
図５は、本願請求項１、２全てに対応した第四の実施形態である照明装置を示している。なお、ここでは、上記第一の実施形態と相違する事項についてのみ説明し、その他の事項（構成、作用効果等）については、上記第一の実施形態と同様であるのでその説明を省略する。この照明装置の点灯装置２は内部スペース３よりもわずかに小さい径の円盤であって、円盤の外周に等間隔に四つの凹部７が設けられている形状となっており、この凹部７のスペースにそれぞれＬＥＤ１が配置されている。
【００２５】
したがって、この照明装置は、内部スペース３の中に点灯装置２が占める割合が大きいため、一定の大きさの内部スペース３において、点灯装置２をより大きくすることができる。
【００２６】
なお、本願発明は、上記実施形態に限定されるものでなく、例えば、図６、７に示す実施形態のようなものであってもよい。すなわち、図６に示す第五の実施形態では、ＬＥＤ１を内部スペース３の外周に等間隔に六ヶ所に設けており、内部スペース３の中央および相隣接するＬＥＤ１の間に、星型の点灯装置２が設けられている。又、図７に示す第六の実施形態では、ＬＥＤ１を内部スペース３の外周に等間隔に八ヶ所に設けており、内部スペース３の中央および相隣接するＬＥＤ１の間に、点灯装置２が設けられている。
【図面の簡単な説明】
【００２７】
【図１】本願発明の第一の実施形態である照明装置を示す分解斜視図。
【図２】同照明装置におけるカバー内部を示す平面図。
【図３】本願発明の第二の実施形態である照明装置におけるカバー内部を示す平面図。
【図４】本願発明の第三の実施形態である照明装置におけるカバー内部を示す平面図。
【図５】本願発明の第四の実施形態である照明装置におけるカバー内部を示す平面図。
【図６】本願発明の第五の実施形態である照明装置におけるカバー内部を示す平面図。
【図７】本願発明の第六の実施形態である照明装置におけるカバー内部を示す平面図。
【図８】従来例である照明装置におけるカバー内部を示す平面図。
【符号の説明】
【００２８】
１  ＬＥＤ
２  点灯装置
３  内部スペース
４  ベース板
５  ネジ部
６  カバー
７  凹部
【図１】
2007122901.tif 000003
【図２】
2007122901.tif 000004
【図３】
2007122901.tif 000005
【図４】
2007122901.tif 000006
【図５】
2007122901.tif 000007
【図６】
2007122901.tif 000008
【図７】
2007122901.tif 000009
【図８】
2007122901.tif 000010